(57)【要約】【課題】大きい宝石や装飾体を傾くことなく安定性よく、かつ強度性を持って支持できるし、装着時に不安感を持ったり指に痛みを与えることがない。フリーサイズであるので指の太さに関係なく装着することも、使用者自らがサイズの調整をすることもできる。【解決手段】貴金属からなる指輪本体１を構成し、２本の指に一体に装着する一対の基材２、３は、基端側２Ａ、３Ａから湾曲状に伸長して先端２Ｂ、３がＢ自由端になった略Ｃ字状に形成してある。一対の基剤２、３は開放部２Ｃ、３Ｃを対向させた状態で基端側２Ａ、３Ａを一体に連接して指輪本体１を構成してある。指輪本体１の上側には横長プレート状に形成した装飾体５が固着してあり、装飾体５の平坦な上面５Ａには文字、数字、線図等により模様が表わしてある。【選択図】　図１
0003097329.tif 000002
【実用新案登録請求の範囲】
【請求項１】
一対の基材は基端側から湾曲状に伸長して先端が自由端となり、該先端と基端側との間は開放部とする略Ｃ字状に形成し、該開放部を対向させた状態で前記基端側を一体に連接することにより、該一対の基材を隣接する一対の指に一体に嵌装するように構成した指輪本体と、該指輪本体の前記一対の基端側に設けた装飾体とから構成してなる指輪。
【請求項２】
前記一対の基材は、その一方又は両方に抜き穴を形成してあることを特徴とする請求項１記載の指輪。
【請求項３】
前記指輪本体は、前記一対の基材の基端側を肉厚に形成することにより、肉厚の支持部を形成してあることを特徴とする請求項１記載の指輪。
【考案の詳細な説明】
【０００１】
【考案の属する技術分野】
本考案は、指輪に関し、特に２本の指に一体に装着することにより、装飾体を大きくできるし、多様な装飾体にデザインすることも可能であり、また使用時の安定性にも優れている指輪に関する。
【０００２】
【従来の技術】
従来の指輪は、貴金属製の１個のリングと、該リングの上部に宝石等の装飾体を設けた構成からなるもので、薬指等の１本の指に嵌装して使用している。しかし、１個のリングを１本の指に装着した状態では、指輪が指に対して回るために装飾体が横方向の中指や小指側にずれてしまうという欠点、リングが円輪であるために装着できる指が制限される、リングのサイズを指に合わせるためには、切断したり削る等の加工が必要でそのための費用が嵩むといった欠点がある。
【０００３】
そこで、２本の指に装着するタイプの指輪も提案されている。例えば、特開平８−２２４１１５号公報には、「隣接する一対の指に挿着される一対のリングと、前記指の並び方向に沿って装飾体の裏面に設けたシャフトを備え、前記一対のリングをシャフトに摺動並びに回動可能に取り付けたことを特徴とする指輪。」が開示されている。この指輪は、一対のリングを一対の指に挿着するので装飾体が横向きになることがないし、大型の装飾体を設けることができる利点があるが、サイズの合わない指に使用できない、挿着するためには切断等の加工が必要であるという１本のリングの指輪と同様の欠点がある。
【０００４】
また、特開平１０−２６２７１４号公報には、「一側面が切欠したＣ字形の指挿入部材一対を左右対称形に接合して２本の指を挿入係合する指掛け部となし、この一対の指挿入部材上面が互いに下方に湾曲して接合する指掛け部上面の窪みの合いだに宝石を装着せしめたことを特徴とするウイングジュエリー。」が開示されている。このウイングジュエリーは、一対のＣ字形の指挿入部材を２本の指に装着するものであるが、Ｃ字形の指挿入部材は背中合わせに接合して構成してあり、外側の側面が開放しているために、指を外側に動かした場合に不安定感があるし、手を握ったり物を持った場合に中央の柱部分が指に当たって違和感を持ったり、痛みを感じることである。
【０００５】
【考案が解決しようとする課題】
本考案は上述した従来技術の欠点に鑑みなされたもので、大きい宝石や装飾体が傾くことなく安定性よく支持できる、使用時に不安感を持ったり痛みを感じることがない、フリーサイズであるので指の太さに関係なく着用することができる、使用者自身がサイズを調整できるといった優れた特徴のある指輪を提供することを目的とする。
【０００６】
【課題を解決するための手段】
上述した課題を解決するために構成された本考案の手段は、一対の基材は基端側から湾曲状に伸長して先端が自由端となり、該先端と基端側との間は開放部とする略Ｃ字状に形成し、該開放部を対向させた状態で前記基端側を一体に連接することにより、該一対の基材を隣接する一対の指に一体に嵌装するように構成した指輪本体と、該指輪本体の前記一対の基端側に設けた装飾体とからなる。
【０００７】
そして、前記一対の基材は、その一方又は両方に抜き穴を形成したものにするとよい。
【０００８】
また、前記指輪本体は、前記一対の基材の基端側を肉厚に形成することにより、肉厚の支持部を形成したものにするとよい。
【０００９】
【考案の実施の形態】
以下、本考案の実施の形態を図面に基づき詳述する。図１乃至図５は第１の実施の形態を示す。図において、１は指輪本体を示し、２、３は該指輪本体１を構成する一対の基材を示す。該基材２、３は例えば金、銀、プラチナ等の貴金属、或は真鍮、銅、ステンレススチール等の展性、延性のある加工容易な金属材料を約１０ｍｍの帯板状に成形したもので、基端側２Ａ、３Ａから湾曲状に伸長して先端２Ｂ、３Ｂは自由端になり、該先端２Ｂ、３Ｂと基端側２Ａ、２Ａとの間は離間して開放部２Ｃ、３Ｃとする略Ｃ字状に形成してある。そして、一対の基材２、３は該開放部２Ｃ、３Ｃを対向させた状態で前記基端側２Ａ、３Ａを一体に連接することにより、指輪本体１は恰も「メガネ」を模した形態をなしている。
【００１０】
４、４、・・は、各基材２、３にハート形に穿設した複数の抜き穴で、該抜き穴４を形成することにより、基材２、３の幅が広くても装着時の通気性に優れて汗をかくことがないし、指輪を軽量化でき、また中指イと薬指ロへの圧迫感を少なくすることができる。
【００１１】
５は前記指輪本体１の上部に設けた装飾体を示す。該装飾体５は指輪本体１と同様に金、銀、プラチナ等の貴金属からなるもので、横長のプレート状に形成したものからなっている。そして、装飾体５の上面５Ａは装飾面になっており、例えば記念日とイニシャル等の適宜の文字、数字、模様を表してある。そして、装飾体５は指輪本体１の上部、具体的には一対の基材２、３の基端側２Ａ、３Ａ上面に蝋付け等の固着手段により固着してある。
【００１２】
本実施の形態からなる指輪は上述の如く構成したものからなり、使用にあっては一方の基材２を例えば中指イに、他方の基材３を薬指ロに一体に挿嵌し、各指イ、ロの付け根にまで嵌合する。これにより、指輪本体１は２本の指イ、ロによって支持された状態になるから、装飾体５が横方向に傾いたりすることがなく安定性に優れている。また、装飾体４は一対の基材２、３に跨がって支持してあるから、１個の輪では困難であった大きい装飾体にデザインすることや、大胆な形態にデザインすることが可能である。
【００１３】
更に、中指イと薬指ロとの間には左右いずれの基材２、３も介在することなく中指イと薬指ロが接した通常の状態にあるから着用時に違和感や圧迫感を受けることはない。また、物を握ったり、握手した場合に中指イと薬指ロとの間に指輪本体１を挟んで痛い思いをするといったことも解決できる。
【００１４】
また、図５は実施の形態の変形例を示す。その特徴とするところは、装飾体１１をプレート状の装飾体５に替えて、基材２、３に固着した大型の台座１１Ａと、該台座１１Ａに支持した宝石１１Ｂとから構成したことにある。このように、台座１１Ａは基材２、３の両方に固着することができるから、強度性に優れているし、宝石１１Ｂの大きい装飾体１１に構成することができる。
【００１５】
また、図６は第２の実施の形態を示す。図において、２１は貴金属等により成形した指輪本体、２２、２３は該指輪本体２１を構成し、基端側２２Ａ、２３Ａから先端２２Ｂ、２３Ｂにかけて略Ｃ字状に形成し、基端側２２Ａ、２３Ａと先端２２Ｂ、２３Ｂとの間を開放部２２Ｃ、２３Ｃとした一対の基材である。そして、該基材２２、２３の基端側２２Ａ、２３Ａを肉厚にすることにより、指輪本体２１に上面が平坦な支持部２１Ａを形成してある。このように指輪本体２１に上面が平坦な肉厚の支持部２１Ａを形成することにより、装飾体２４を強度性及び安定性よく固着することができる。
【００１６】
【考案の効果】
本考案は以上詳述した如く構成したから、下記の諸効果を奏する。
（１）隣接する一対の指に一体に嵌装する一対の基材は略Ｃ字状に形成し、開放部を対向させた状態で基端側を一体に連接した構成にしたから、装着時に安心感があるし、手を握ったり物を持った場合に指に痛み与えることがない。
（２）略Ｃ字状に形成した各基材は先端が自由端になっており、装着する指の太さに合わせて拡縮径することができるフリーサイズであるから、指の太さに関係なく装着することができるし、宝飾店のみならず使用者自らサイズを調整することができる。
（３）一対の基材は隣接する一対の指に一体に嵌装するから、大きい宝石や装飾体を傾くことなく安定性よく支持できるし、デザイン上の自由度も得られる。
（４）一対の基材の一方又は両方に抜き穴を形成したから、基材の幅が広くても装着時の通気性に優れていて汗をかくことがないし、指輪を軽量化でき、また指への圧迫感を少なくすることができる。
（５）指輪本体を構成する一対の基材の基端側を肉厚にすることにより、指輪本体に支持部を形成したから、指輪本体に装飾体を強固に、また安定性よく固着することができる。
【図面の簡単な説明】
【図１】図１乃至図５は本考案の第１の実施の形態に係り、図１は指輪の正面図である。
【図２】指輪の平面図である。
【図３】指輪の側面図である。
【図４】指輪を左手に挿着した状態の斜視図である。
【図５】変形例に係る指輪の正面図である。
【図６】第２の実施の形態に係る指輪の正面図である。
【符号の説明】
１、２１　　　　　　　指輪本体
２、３、２２、２３　　基材
２Ａ、３Ａ、２２Ａ、２３Ａ　　基端側
２Ｂ、３Ｂ、２２Ｂ、２３Ｂ　　先端
２Ｃ、３Ｃ、２２Ｃ、２３Ｃ　　開放部
４　　　　　　　　　　抜き穴
５、１１、２４　　　　装飾体
２１Ａ　　　　　　　　支持部
【図１】
0003097329.tif 000003
【図２】
0003097329.tif 000004
【図３】
0003097329.tif 000005
【図４】
0003097329.tif 000006
【図５】
0003097329.tif 000007
【図６】
0003097329.tif 000008